Podtech/llm-jp-corpus-v4-ja_patent huggingface dataset:
【手続補正書】
【提出日】平成22年3月26日(2010.3.26)
【手続補正１】
【補正対象書類名】特許請求の範囲
【補正対象項目名】全文
【補正方法】変更
【補正の内容】
【特許請求の範囲】
【請求項１】
１１．９９±０．２、１４．７８±０．２、２１．４４±０．２、２２．１６±０．２、２３．１２±０．２および２４．１２±０．２度の２シータで表されるピークを含むＸ線回折パターンを示す結晶塩酸デュロキセチンの調製方法であって、該方法は、
（ａ）第１の有機溶媒にデュロキセチンを溶解し、第１の溶液を形成する工程；
（ｂ）該第１の溶液とＨＣｌを含む第２の有機溶媒溶液とを合わせて、第２の溶液を形成する工程；
（ｃ）該溶液から塩酸デュロキセチンを晶出させる工程；および
（ｄ）該結晶化した塩酸デュロキセチンを収集する工程、
を含み、
該第１の有機溶媒が芳香族炭化水素である、
方法。
【請求項２】
前記結晶塩酸デュロキセチンが、１１．０２±０．２、１１．９９±０．２、１３．９４±０．２、１４．７８±０．２、１６．１９±０．２、１６．８７±０．２、１８．０±０．２、１８．８±０．２、１９．７７±０．２、２０．８４±０．２、２１．４４±０．２、２２．１６±０．２、２３．１２±０．２、２４．１２±０．２、２６．３４±０．２、２６．７６±０．２、２７．０±０．２、２７．４５±０．２、２９．２４±０．２、２９．５８±０．２、２９．９２±０．２、３０．４±０．２、３２．２±０．２、３２．８２±０．２および３４．１７±０．２度の２シータで表されるＸ線回折パターンを示す、請求項１に記載の方法。
【請求項３】
前記第１の有機溶媒がトルエンである、請求項１または２に記載の方法。
【請求項４】
前記第２の有機溶媒がアルコールである、請求項１から３のいずれかに記載の方法。
【請求項５】
前記第２の有機溶媒がエタノールである、請求項４に記載の方法。
【請求項６】
前記デュロキセチンを、前記第１の有機溶媒中にデュロキセチン３ｇにつき第１の有機溶媒４０ｍｌの比率で溶解する、請求項１から５のいずれかに記載の方法。
【請求項７】
前記第２の有機溶媒が２０％のＨＣｌを含む、請求項１から６のいずれかに記載の方法。
【請求項８】
前記第１の溶液を、０℃にて前記第２の有機溶媒に添加する、請求項１から７のいずれかに記載の方法。
【請求項９】
前記第１の溶液を、攪拌しながら前記第２の有機溶媒に添加する、請求項１から８のいずれかに記載の方法。
【請求項１０】
前記塩酸デュロキセチンを、０℃から１０℃で冷却している間に前記溶液から晶出させる、請求項１から９のいずれかに記載の方法。
【請求項１１】
前記塩酸デュロキセチンを、１０時間にわたって前記溶液から晶出させる、請求項１から１０のいずれかに記載の方法。
【請求項１２】
前記結晶化した塩酸デュロキセチンを、濾過によって収集する、請求項１から１１のいずれかに記載の方法。
【請求項１３】
前記収集された結晶化した塩酸デュロキセチンを洗浄し、次いで乾燥する、請求項１から１２のいずれかに記載の方法。
【請求項１４】
前記収集された結晶化した塩酸デュロキセチンを、芳香族炭化水素で洗浄する、請求項１３に記載の方法。
【請求項１５】
前記収集された結晶化した塩酸デュロキセチンを、トルエンで洗浄する、請求項１３または１４に記載の方法。
【請求項１６】
工程（ａ）で用いるデュロキセチンの調製のために、以下のさらなる工程を含む、請求項１から１５のいずれかに記載の方法：
（ｉ）シュウ酸デュロキセチンを、第３の有機溶媒および水の溶液に投入する工程；
（ｉｉ）該シュウ酸デュロキセチンを溶解するために、アンモニア水溶液を添加する工程；
（ｉｉｉ）分離した有機層を単離する工程；
（ｉｖ）該有機層を飽和塩水で洗浄する工程；
（ｖ）該有機層を乾燥する工程；および
（ｖｉ）該有機層から該溶媒を除去する工程。
【請求項１７】
前記第３の有機溶媒が、Ｃ１からＣ６のエステルである、請求項１６に記載の方法。
【請求項１８】
前記第３の有機溶媒が、酢酸エチルである、請求項１７に記載の方法。
【請求項１９】
前記シュウ酸デュロキセチンを、前記第３の有機溶媒および水の溶液に、シュウ酸デュロキセチン３９ｇにつき第３の有機溶媒および水の溶液３００ｍｌの比率で投入する、請求項１６から１８のいずれかに記載の方法。
【請求項２０】
前記第３の有機溶媒および水の溶液が、水１ｍｌにつき第３の有機溶媒１ｍｌを含有する、請求項１６から１９のいずれかに記載の方法。
【請求項２１】
前記アンモニア水を、攪拌下で添加する、請求項１６から２０のいずれかに記載の方法。
【請求項２２】
単離された水層を、前記第３の有機溶媒で洗浄する、請求項１６から２１のいずれかに記載の方法。
【請求項２３】
前記有機層を、無水硫酸ナトリウムで乾燥する、請求項１６から２２のいずれかに記載の方法。
【請求項２４】
少なくとも９５％の純度を有する、請求項１から２３のいずれかに記載の方法で調製された結晶塩酸デュロキセチン。
【請求項２５】
少なくとも９８％の純度を有する、請求項２４に記載の結晶塩酸デュロキセチン。
【請求項２６】
少なくとも９５％の光学純度を有する、請求項１から２３のいずれかに記載の方法で調製された結晶塩酸デュロキセチン。
【請求項２７】
少なくとも９８％の光学純度を有する、請求項２６に記載の結晶塩酸デュロキセチン。
【手続補正書】
【提出日】平成22年5月21日(2010.5.21)
【手続補正１】
【補正対象書類名】特許請求の範囲
【補正対象項目名】全文
【補正方法】変更
【補正の内容】
【特許請求の範囲】
【請求項１】
マクロファージ遊走阻止因子（ＭＩＦ）ポリペプチドの生物学的活性を阻害する方法であって、前記ＭＩＦポリペプチドを式（Ｉ）
【化１】
2009541214.tif 000001
（ここで、各Ｒは独立してＨ、ハロ、ＯＨ、アルキル、置換アルキル、アリール、アミノ又はカルボキシルであり；
Ｒ１は、Ｈ、ハロ、ＯＨ、アルキル、置換アルキル又はアリールであり；
Ｒ２は、Ｈ、ハロ、ＯＨ、アルキル、置換アルキル、アリール又はアミノであり；及び
ｎは０〜５の整数である）
の構造を有する化合物と接触させることを含む、前記方法。
【請求項２】
化合物がさらに、ＭＩＦポリペプチドのＰｒｏ−１、Ｌｙｓ−３２、Ｐｒｏ−３３、Ｔｙｒ−３６、Ｈｉｓ−６２、Ｓｅｒ−６３、ｌｌｅ−６４、Ｌｙｓ−６６、Ｔｙｒ−９５、Ｍｅｔ−１０１、Ｖａｌ−１０６、Ｔｒｐ−１０８及びＰｈｅ−１１３の１又はそれ以上と安定した相互作用を形成する、請求項１記載の方法。
【請求項３】
ＭＩＦポリペプチドが哺乳動物のＭＩＦポリペプチドである、請求項１記載の方法。
【請求項４】
Ｒ１がヨウ素である、請求項１記載の方法。
【請求項５】
化合物が４−ヨード−６−フェニルピリミジン又はその類似体若しくは誘導体である、請求項１記載の方法。
【請求項６】
細胞の発癌活性を阻害又は予防する方法であって、細胞を式（Ｉ）
【化２】
2009541214.tif 000002
（ここで、各Ｒは独立してＨ、ハロ、ＯＨ、アルキル、置換アルキル、アリール、アミノ又はカルボキシルであり；
Ｒ１は、Ｈ、ハロ、ＯＨ、アルキル、置換アルキル又はアリールであり；
Ｒ２は、Ｈ、ハロ、ＯＨ、アルキル、置換アルキル、アリール又はアミノであり；及び
ｎは０〜５の整数である）
の構造を有する化合物と接触させることを含む、前記方法。
【請求項７】
Ｒ１がヨウ素である、請求項６記載の方法。
【請求項８】
化合物が４−ヨード−６−フェニルピリミジン又はその類似体若しくは誘導体である、請求項７記載の方法。
【請求項９】
化合物がさらに、ＭＩＦポリペプチドのＰｒｏ−１、Ｌｙｓ−３２、Ｐｒｏ−３３、Ｔｙｒ−３６、Ｈｉｓ−６２、Ｓｅｒ−６３、ｌｌｅ−６４、Ｌｙｓ−６６、Ｔｙｒ−９５、Ｍｅｔ−１０１、Ｖａｌ−１０６、Ｔｒｐ−１０８及びＰｈｅ−１１３の１又はそれ以上と安定した相互作用を形成する、請求項６記載の方法。
【請求項１０】
ＭＩＦポリペプチドが哺乳動物のＭＩＦポリペプチドである、請求項９記載の方法。
【請求項１１】
発癌活性を阻害又は予防することが、細胞の遊走、浸潤、細胞生存、足場非依存性増殖、血管新生又はそれらの組み合わせを阻害することを含む、請求項６記載の方法。
【請求項１２】
細胞が、肺癌、頭頸部癌、膵臓癌、腎細胞癌、前立腺癌、グリア芽腫及び乳腺腺癌からなる群から選択される癌細胞である、請求項６記載の方法。
【請求項１３】
対象の癌の治療又はその再発リスクを軽減するための医薬組成物であって、式（Ｉ）
【化３】
2009541214.tif 000003
（ここで、各Ｒは独立してＨ、ハロ、ＯＨ、アルキル、置換アルキル、アリール、アミノ又はカルボキシルであり；
Ｒ１は、Ｈ、ハロ、ＯＨ、アルキル、置換アルキル又はアリールであり；
Ｒ２は、Ｈ、ハロ、ＯＨ、アルキル、置換アルキル、アリール又はアミノであり；及び
ｎは０〜５の整数である）
の構造を有する化合物を含む、前記医薬組成物。
【請求項１４】
Ｒ１がヨウ素である、請求項１３記載の医薬組成物。
【請求項１５】
化合物が４−ヨード−６−フェニルピリミジン又はその類似体若しくは誘導体である、請求項１４記載の医薬組成物。
【請求項１６】
医薬組成物を対象に投与したときに、化合物がさらに、ＭＩＦポリペプチドのＰｒｏ−１、Ｌｙｓ−３２、Ｐｒｏ−３３、Ｔｙｒ−３６、Ｈｉｓ−６２、Ｓｅｒ−６３、ｌｌｅ−６４、Ｌｙｓ−６６、Ｔｙｒ−９５、Ｍｅｔ−１０１、Ｖａｌ−１０６、Ｔｒｐ−１０８及びＰｈｅ−１１３の１又はそれ以上と安定した相互作用を形成する、請求項１３記載の医薬組成物。
【請求項１７】
癌の治療が、細胞の遊走、浸潤、細胞生存、足場非依存性増殖、血管新生又はそれらの組み合わせを阻害することを含む、請求項１３記載の医薬組成物。
【請求項１８】
医薬組成物が、対象に、放射線、化学療法剤又はその両方での癌治療と併用して投与される、請求項１３記載の医薬組成物。
【請求項１９】
化学療法剤が低酸素活性化合物を含む、請求項１８記載の医薬組成物。
【請求項２０】
低酸素活性化合物がチラパザミン（tirapazamine）を含む、請求項１９記載の医薬組成物。
【請求項２１】
癌が、肺癌、頭頸部癌、膵臓癌、腎細胞癌、前立腺癌、グリア芽腫及び乳腺腺癌からなる群から選択される癌である、請求項１３記載の医薬組成物。
【請求項２２】
対象がヒトである、請求項１３記載の医薬組成物。
【請求項２３】
対象の炎症性疾患を治療するための医薬組成物であって、式（Ｉ）
【化４】
2009541214.tif 000004
（ここで、各Ｒは独立してＨ、ハロ、ＯＨ、アルキル、置換アルキル、アリール、アミノ又はカルボキシルであり；
Ｒ１は、Ｈ、ハロ、ＯＨ、アルキル、置換アルキル又はアリールであり；
Ｒ２は、Ｈ、ハロ、ＯＨ、アルキル、置換アルキル、アリール又はアミノであり；及び
ｎは０〜５の整数である）
の構造を有する化合物を含む、前記医薬組成物。
【請求項２４】
Ｒ１がヨウ素である、請求項２３記載の医薬組成物。
【請求項２５】
化合物が４−ヨード−６−フェニルピリミジン又はその類似体若しくは誘導体である、請求項２３記載の医薬組成物。
【請求項２６】
医薬組成物を対象に投与したときに、化合物が少なくともマクロファージ遊走阻止因子（ＭＩＦ）ポリペプチドのＮ末端残基の第２番目のメチオニンＭｅｔ−２と安定した相互作用を形成する、請求項２３記載の医薬組成物。
【請求項２７】
ＭＩＦポリペプチドがモノマーＡ、Ｂ及びＣのホモトリマー並びにＭｅｔ−２を含むモノマーＡ（Ｍｅｔ−Ａ２）を含む、請求項２６記載の医薬組成物。
【請求項２８】
化合物がさらに、ＭＩＦポリペプチドのＰｒｏ−１、Ｌｙｓ−３２、Ｐｒｏ−３３、Ｔｙｒ−３６、Ｈｉｓ−６２、Ｓｅｒ−６３、ｌｌｅ−６４、Ｌｙｓ−６６、Ｔｙｒ−９５、Ｍｅｔ−１０１、Ｖａｌ−１０６、Ｔｒｐ−１０８及びＰｈｅ−１１３の１又はそれ以上と安定した相互作用を形成する、請求項２７記載の医薬組成物。
【請求項２９】
炎症性疾患が、アトピー性皮膚炎、関節炎、増殖性血管障害、急性呼吸促迫症候群（ＡＲＤＳ）、サイトカイン介在毒性、敗血症、敗血症ショック、乾癬、インターロイキン−２毒性、喘息、ＭＩＦ介在状態、自己免疫疾患、腫瘍増殖及び血管新生からなる群から選択される、請求項２３記載の医薬組成物。
【請求項３０】
自己免疫疾患が、関節リウマチ、インシュリン依存性糖尿病、多発性硬化症、移植片対宿主拒絶反応及びループス症候群からなる群から選択される、請求項２９記載の医薬組成物。
【請求項３１】
対象がヒトである、請求項２３記載の医薬組成物。
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
結晶質形態の１−［２−（２，４−ジメチルフェニルスルファニル）−フェニル］ピペラジン臭化水素酸塩であり、約６．８９、９．７３、１３．７８および１４．６４（°２θ）におけるＸＲＰＤ反射を有している化合物。
【請求項２】
化合物が図３に示されているようなＸＲＤＰを有している、請求項１に記載の化合物。
【請求項３】
化合物が：
Ｄ９８％：６５０〜６８０μｍ；Ｄ５０％：２３０〜２５０μｍ；およびＤ５％：４０〜６０μｍ；
Ｄ９８％：３７０〜３９０；ｄ５０％：１００〜１２０μｍ；Ｄ５％：５〜１５μｍ；
Ｄ９８％：１００〜１２５μｍ；Ｄ５０％：１５〜２５μｍ；およびＤ５％：１〜３μｍ；または
Ｄ９８％：５０〜７０μｍ；Ｄ５０％：３〜７μｍ；およびＤ５％：０．５〜２、
に対応する粒径分布を有している、請求項１に記載の化合物。
【請求項４】
治療において使用するための請求項１〜３のいずれかに記載の化合物。
【請求項５】
薬学的に許容可能な賦形剤とともに請求項１〜３のいずれかに記載の化合物を含む医薬組成物。
【請求項６】
湿式造粒法により製造される錠剤であり、そして、無水カルシウム水素ホスファート、トウモロコシデンプン、ＰＶＰ−ＶＡコポリマー、微結晶性セルロース、ナトリウムデンプングリコラート、タルクおよびマグネシウムステアラートを含む、請求項５に記載の組成物。
【請求項７】
ＨＢｒ塩：３〜８％
無水カルシウム水素ホスファート：３５〜４５％
トウモロコシデンプン：１５〜２５％
ＰＶＰ−ＶＡコポリマー：２〜６％
微結晶性セルロース：２０〜３０％
ナトリウムデンプングリコラート：１〜３％
タルク：２〜６％
マグネシウムステアラート：０．５〜２％
を含む、請求項６に記載の組成物。
【請求項８】
ＨＢｒ塩：約５％
無水カルシウム水素ホスファート：約３９％
トウモロコシデンプン：約２０％
ＰＶＰ−ＶＡコポリマー：約３％
微結晶性セルロース：約２５％
ナトリウムデンプングリコラート：約３％
タルク：約４％
マグネシウムステアラート：約１％
を含む、請求項７に記載の組成物。
【請求項９】
情動障害、うつ病、大うつ病性障害、産後うつ病、双極性障害、アルツハイマー病、精神病、癌、加齢もしくはパーキンソン病に伴ううつ病、不安、全般性不安障害、社会不安障害、強迫性障害、パニック障害、パニック発作、恐怖症、社会恐怖症、広場恐怖症、ストレス性尿失禁、嘔吐、ＩＢＳ、摂食障害、慢性疼痛、部分的応答者、治療抵抗性うつ病、アルツハイマー病、認識機能障害、ＡＤＨＤ、メランコリー、ＰＴＳＤ、顔面紅潮、睡眠時無呼吸、アルコール、ニコチンもしくは炭水化物渇望、物質乱用、またはアルコールもしくは薬物乱用を治療するための薬剤を製造するための請求項１〜３のいずれかに記載の化合物の使用。
【請求項１０】
情動障害、うつ病、大うつ病性障害、産後うつ病、双極性障害、アルツハイマー病、精神病、癌、加齢もしくはパーキンソン病に伴ううつ病、不安、全般性不安障害、社会不安障害、強迫性障害、パニック障害、パニック発作、恐怖症、社会恐怖症、広場恐怖症、ストレス性尿失禁、嘔吐、ＩＢＳ、摂食障害、慢性疼痛、部分的応答者、治療抵抗性うつ病、アルツハイマー病、認識機能障害、ＡＤＨＤ、メランコリー、ＰＴＳＤ、顔面紅潮、睡眠時無呼吸、アルコール、ニコチンもしくは炭水化物渇望、物質乱用、およびアルコールもしくは薬物乱用から選択される疾患の治療において使用するための請求項１〜３のいずれかに記載の化合物。
【手続補正書】
【提出日】平成22年5月31日(2010.5.31)
【手続補正１】
【補正対象書類名】特許請求の範囲
【補正対象項目名】全文
【補正方法】変更
【補正の内容】
【特許請求の範囲】
【請求項１】
極性頭部基と少なくとも１つの炭化水素鎖を有する生物活性脂質を含む誘導体化脂質であって、該誘導体化脂質が下記：
（ａ）生物活性脂質の炭化水素鎖内の炭素原子が保護されていてもよいペンダントスルフヒドリル基で誘導体化されている誘導体化脂質、および
（ｂ）生物活性脂質がリゾ脂質であり、炭化水素鎖内の炭素原子が保護されていてもよいペンダント反応性基で誘導体化されている誘導体化脂質、ここで
（ｉ）リゾ脂質は（I）セラミド、セラミド−１−リン酸、Ｎ−アセチル−セラミド−１−リン酸、リゾホスファチジン酸、スフィンゴシン−１−リン酸、スフィンゴシン、スフィンゴシルホスホリルコリン、ジヒドロスフィンゴシンおよびジヒドロスフィンゴシン−１−リン酸からなる群から選択されるスフィンゴ脂質およびスフィンゴ脂質代謝産物、および（II)リゾホスファチジン酸、リゾホスファチジン酸前駆体およびリゾホスファチジン酸代謝産物からなる群から選択される（ｉｉ）ペンダント反応性基はスルフヒドリル基、カルボン酸基、シアノ基、エステル、ヒドロキシ基、アルケン、アルキン、酸塩化物基およびハロゲン原子からなる群から選択される
、誘導体化脂質。
【請求項２】
担体部分とコンジュゲートされた請求項１に記載の誘導体化脂質を含む、誘導体化生物活性脂質であって、該担体部分がポリエチレングリコール、金コロイド、アジュバント、シリコーンビーズ、および担体タンパク質からなる群から選択され、該担体タンパク質がキーホールリンペットヘモシアニンおよびアルブミンからなる群から選択される、誘導体化生物活性脂質コンジュゲート。
【請求項３】
（ａ）キーホールリンペットヘモシアニンに共有結合されているリゾホスファチジン酸のスルフヒドリル誘導体；および
（ｂ）キーホールリンペットヘモシアニンに共有結合されているスフィンゴシン−１−リン酸のスルフヒドリル誘導体
からなる群から選択される、請求項２に記載の誘導体化生物活性脂質コンジュゲート。
【請求項４】
抗体産生を惹起するのに十分な量の請求項２に記載の誘導体化生物活性脂質コンジュゲートを免疫適格非ヒト動物に投与し、それによる該動物において抗体産生を惹起することを含む、抗体産生を惹起する方法、ここで
免疫適格動物は哺乳動物であり、
該方法はさらにモノクローナル抗体としての抗体を産生する細胞系統を作出することを含み、
該モノクローナル抗体を産生する細胞系統は、免疫適格非ヒト哺乳類宿主から該誘導体化生物活性脂質コンジュゲートの生物活性脂質と特異的に反応性がある抗体産生細胞を単離、同定することにより誘導され、
該同定は、誘導体化生物活性脂質コンジュゲートの誘導体化脂質で修飾した支持体を用いて、生物活性脂質と特異的に反応性がある抗体を産生する細胞を検出することを含む、
方法。
【請求項５】
（ａ）ヒト化抗体およびキメラ抗体からなる群から選択されるモノクローナル抗体の誘導体を作出すること（ｂ）モノクローナル抗体またはその誘導体を単離すること
のうちの少なくとも１つをさらに含む、請求項４に記載の方法。
【請求項６】
生物活性脂質と特異的に反応性がある抗体を単離する方法であって、請求項１に記載の誘導体化脂質で修飾された支持体を用いて、誘導体化脂質の生物活性脂質と特異的に反応性がある抗体を溶液から単離し、それにより抗体を単離することを含む、方法。
【請求項７】
前記溶液が体液、組織サンプルおよび組織ホモジネートからなる群から選択される、請求項６に記載の方法。
【請求項８】
生物活性脂質と特異的に反応性がある抗体を検出する方法であって、請求項１に記載の誘導体化脂質で修飾された支持体を用いて、誘導体化脂質の生物活性脂質と特異的に反応性がある抗体を溶液から検出し、それにより抗体を検出することを含み、抗体が自己抗体、モノクローナル抗体およびポリクローナル抗体からなる群から選択される、方法。
【請求項９】
リゾホスファチジン酸、リゾホスファチジン酸前駆体およびリゾホスファチジン酸代謝産物からなる群から選択される生物活性脂質に対して反応性がある免疫により誘導された単離された物質であって、該免疫により誘導された物質は請求項４記載の方法により産生される抗体から誘導され、該物質が抗体、抗体フラグメント、抗体変異体および抗体誘導体からなる群から選択され、抗体がキメラモノクローナル抗体、ヒトモノクローナル抗体およびヒト化モノクローナル抗体からなる群から選択される、
免疫により誘導された単離された物質。
【請求項１０】
前記免疫により誘導された物質が二重特異性であり、リゾホスファチジン酸およびスフィンゴ脂質の双方に対して反応性である、請求項９に記載の物質。
【請求項１１】
医薬上許容される担体中に請求項９に記載の単離された免疫により誘導される物質を含む、組成物。
【請求項１２】
対象の生物活性脂質濃度の異常に関連する疾患または症状の治療的または予防的処置のための請求項１１記載の組成物であって、
（ａ）生物活性脂質はリゾホスファチジン酸、リゾホスファチジン酸前駆体およびリゾホスファチジン酸代謝産物からなる群から選択され、
（ｂ）対象は人を含む哺乳動物であり、
（ｃ）免疫により誘導される物質がポリクローナル抗体、モノクローナル抗体、キメラ抗体、ポリクローナル抗体、モノクローナル抗体またはキメラ抗体のフラグメント、およびポリクローナル、モノクローナル又はキメラ抗体の誘導体からなる群から選択される、
組成物。
【請求項１３】
疾患又は症状が癌である、請求項１２記載の組成物。
【請求項１４】
癌が腎臓癌、膵臓癌、黒色腫、肺癌、神経芽腫、肝細胞癌、多形性膠芽腫、乳癌、卵巣癌、前立腺癌、結腸直腸癌および白血病からなる群から選択される、請求項１３記載の組成物。
【請求項１５】
対象への投与後に、対象内の生理活性脂質の有効濃度が減少するものである、請求項１１〜１４いずれかに記載の組成物。
【請求項１６】
投与が局所投与、経口投与および非経口投与からなる群から選択される経路により投与される、請求項１１〜１５いずれかに記載の組成物。
【請求項１７】
投与が経口投与、経皮経路、眼上皮経路、子宮内経路、膣経路、直腸経路、肺経路、気管内経路および鼻腔内経路からなる群から選択される経路による局所投与、または静脈投与、動脈投与、皮下投与、腹腔内投与、筋肉内投与および頭蓋内投与からなる群から選択される非経口投与により投与される、請求項１５記載の組成物。
【請求項１８】
非経口投与により投与されるものであり、請求項１１〜１７何れかに記載の組成物。
【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
２−（メチルオキシ）−Ｎ−［２−メチル−１−フェニル−２−（１−ピロリジニル）プロピル］−４，６−ビス（トリフルオロメチル）ベンズアミドコハク酸塩もしくはその溶媒和物。
【請求項２】
２−（メチルオキシ）−Ｎ−［２−メチル−１−フェニル−２−（１−ピロリジニル）プロピル］−４，６−ビス（トリフルオロメチル）ベンズアミドナパジシル酸塩もしくはその溶媒和物。
【請求項３】
２−（メチルオキシ）−Ｎ−［２−メチル−１−フェニル−２−（１−ピロリジニル）プロピル］−４，６−ビス（トリフルオロメチル）ベンズアミドモノコハク酸塩もしくはその溶媒和物であるところの、請求項１記載の化合物。
【請求項４】
Ｒ−（−）−２−（メチルオキシ）−Ｎ−［２−メチル−１−フェニル−２−（１−ピロリジニル）プロピル］−４，６−ビス（トリフルオロメチル）ベンズアミドモノコハク酸塩もしくはその溶媒和物であるところの、請求項１記載の化合物。
【請求項５】
Ｓ−（＋）−２−（メチルオキシ）−Ｎ−［２−メチル−１−フェニル−２−（１−ピロリジニル）プロピル］−４，６−ビス（トリフルオロメチル）ベンズアミドモノコハク酸塩もしくはその溶媒和物であるところの、請求項１記載の化合物。
【請求項６】
２−（メチルオキシ）−Ｎ−［２−メチル−１−フェニル−２−（１−ピロリジニル）プロピル］−４，６−ビス（トリフルオロメチル）ベンズアミド−１，５−ナパジシル酸塩もしくはその溶媒和物であるところの、請求項２記載の化合物。
【請求項７】
２−（メチルオキシ）−Ｎ−［２−メチル−１−フェニル−２−（１−ピロリジニル）プロピル］−４，６−ビス（トリフルオロメチル）ベンズアミド−１，５−ヘミナパジシル酸塩もしくはその溶媒和物であるところの、請求項２記載の化合物。
【請求項８】
Ｒ−（−）−２−（メチルオキシ）−Ｎ−［２−メチル−１−フェニル−２−（１−ピロリジニル）プロピル］−４，６−ビス（トリフルオロメチル）ベンズアミド１，５−ヘミナパジシル酸塩もしくはその溶媒和物であるところの、請求項２記載の化合物。
【請求項９】
Ｓ−（＋）−２−（メチルオキシ）−Ｎ−［２−メチル−１−フェニル−２−（１−ピロリジニル）プロピル］−４，６−ビス（トリフルオロメチル）ベンズアミド１，５−ヘミナパジシル酸塩もしくはその溶媒和物であるところの、請求項２記載の化合物。
【請求項１０】
結晶形であるところの、請求項１〜９のいずれか一項記載の化合物。
【請求項１１】
１０．６±０．１、１１．１±０．１および２１．３±０．１度からなる群より選択される１つまたはそれ以上の位置に２シータ角を含むＸ線粉末回折パターンを有するところの、請求項１記載の化合物。
【請求項１２】
図１
2009541261.tif 000001
に示されるＸＲＰＤ回折図形を有する、請求項１記載の化合物。
【請求項１３】
表１：
【表１】
2009541261.tif 000002
に列記されるシグナルを示すＸＲＰＤ回折図形を有する、請求項１記載の化合物。
【請求項１４】
図２
2009541261.tif 000003
に示されるＸＲＰＤ回折図形を有する、請求項２記載の化合物。
【請求項１５】
表２
【表２】
2009541261.tif 000004
に列記されるシグナルを示すＸＲＰＤ回折図形を有する、請求項２記載の化合物。
【請求項１６】
治療での使用のための、請求項１〜１５のいずれか一項記載の化合物。
【請求項１７】
ＧｌｙＴ１により媒介される障害の処置における使用のための、請求項１〜１５のいずれか一項記載の化合物。
【請求項１８】
精神病の処置における使用のための、請求項１〜１５のいずれか一項記載の化合物。
【請求項１９】
統合失調症、認知症または注意欠陥障害の処置における使用のための、請求項１〜１５のいずれか一項記載の化合物。
【請求項２０】
ＧｌｙＴ１により媒介される障害の処置のための医薬の製造において、請求項１〜１５のいずれか一項記載の化合物の使用。
【請求項２１】
精神病の処置のための医薬の製造における、請求項１〜１５のいずれか一項記載の化合物の使用。
【請求項２２】
精神病が、統合失調症、認知症または注意欠陥障害であるところの、請求項２１記載の使用。
【請求項２３】
請求項１〜１５のいずれか一項記載の化合物および少なくとも１つの医薬上許容される担体、希釈剤または賦形剤を含む、ＧｌｙＴ１により媒介される障害の治療用医薬組成物。
【請求項２４】
抗うつ剤（５ＨＴ３アンタゴニスト、セロトニンアゴニスト、ＮＫ−１アンタゴニスト、選択的セロトニン再取り込み阻害剤（ＳＳＲＩ）、ノルアドレナリン再取込み阻害剤（ＳＮＲＩ）、三環系抗うつ剤、ドーパミン作動性抗うつ剤、Ｈ３アンタゴニスト、５ＨＴ１Ａアンタゴニスト、５ＨＴ１Ｂアンタゴニスト、５ＨＴ１Ｄアンタゴニスト、Ｄ１アゴニスト、Ｍ１アゴニストから選択される）；抗痙攣剤；非定型抗精神病薬物または向知性薬から選択される１つまたはそれ以上の他の治療薬をさらに含む、請求項２３記載の医薬組成物。
【手続補正書】
【提出日】平成22年6月21日(2010.6.21)
【手続補正１】
【補正対象書類名】特許請求の範囲
【補正対象項目名】全文
【補正方法】変更
【補正の内容】
【特許請求の範囲】
【請求項１】
式（Ｉ）：
【化１】
2009541262.tif 000001
（式中、Ｒ１は、３Ｈ、１１Ｃ、１４Ｃ、１３Ｎ、１５Ｏ、７６Ｂｒ、１８Ｆ、１２３Ｉ、１２５Ｉ、１３１Ｉ、７５Ｂｒ、７６Ｂｒ、７７Ｂｒおよび８２Ｂｒから選択される放射性核種を含むか、またはこれらからなる放射標識基である）
の化合物またはその塩もしくは溶媒和物。
【請求項２】
Ｒ１が、１１Ｃを含むＣ１−６アルキル基である、請求項１記載の化合物。
【請求項３】
［１１Ｃ−Ｎ−メチル］−Ｎ−［［１−（ジメチルアミノ）シクロペンチル］（フェニル）メチル］−２，６−ジメチルベンズアミドまたはその塩もしくは溶媒和物である、請求項１記載の化合物。
【請求項４】
２，６−ジメチル−Ｎ−［［１−（メチルアミノ）シクロペンチル］（フェニル）メチル］ベンズアミドを式（ＩＶ）：
Ｒ１−Ｘ（ＩＶ）
（式中、Ｒ１は、３Ｈ、１１Ｃ、１４Ｃ、１３Ｎ、１５Ｏ、７６Ｂｒ、１８Ｆ、１２３Ｉ、１２５Ｉ、１３１Ｉ、７５Ｂｒ、７６Ｂｒ、７７Ｂｒおよび８２Ｂｒから選択される放射性核種を含有する基であり、Ｘは脱離基である）
の化合物と反応させ；その後、任意にその塩または溶媒和物を形成することを含む、請求項１〜３のいずれか１項記載の化合物の調製法。
【請求項５】
療法において使用される請求項１〜３のいずれか１項記載の化合物。
【請求項６】
ＧｌｙＴ１リガンドまたはＳＰＥＣＴリガンドとして使用される、請求項１〜３のいずれか１項記載の化合物。
【請求項７】
ＧｌｙＴ１結合試験において使用される請求項１〜３のいずれか１項記載の化合物。
【請求項８】
哺乳動物においてＧｌｙＴ１を標識するのに、哺乳動物においてＧｌｙＴ１を発現させるのに、ＧｌｙＴ１を画像診断するのに、哺乳動物においてＧｌｙＴ１を発現させる組織を画像診断するのに、哺乳動物の脳におけるグリシントランスポーターサブタイプ１（ＧｌｙＴ１）を画像診断するのに、または哺乳動物組織におけるＧｌｙＴ１機能を検出または定量化するのに用いられる、請求項１〜３のいずれか１項記載の化合物。
【請求項９】
哺乳動物がヒトである、請求項８記載の化合物。
【請求項１０】
哺乳動物においてＧｌｙＴ１を標識するための、哺乳動物においてＧｌｙＴ１を発現させるための、ＧｌｙＴ１を画像診断するための、哺乳動物においてＧｌｙＴ１を発現させる組織を画像診断するための、哺乳動物の脳におけるグリシントランスポーターサブタイプ１（ＧｌｙＴ１）を画像診断するための、または哺乳動物組織におけるＧｌｙＴ１機能を検出または定量化するための組成物の製造における、請求項１〜３のいずれか１項記載の化合物の使用。
【請求項１１】
前記哺乳動物がヒトである、請求項１０記載の使用。
【請求項１２】
請求項１〜３のいずれか１項記載の化合物および少なくとも１つの医薬的に許容される担体、希釈剤または賦形剤を含む、神経障害または精神神経障害の治療用医薬組成物。
【誤訳訂正書】
【提出日】平成22年2月24日(2010.2.24)
【誤訳訂正１】
【訂正対象書類名】特許請求の範囲
【訂正対象項目名】全文
【訂正方法】変更
【訂正の内容】
【特許請求の範囲】
【請求項１】
認識される単語が入力された後、予め登録されている同音語について、該入力された単語を用いて事後学習処理を行うことにより音声認識システムの認識確率を向上する方法において、
（ａ）認識される単語を入力する工程と、
（ｂ）該入力された単語と音声認識システムに既に登録されている単語とを比較する工程と、
（ｃ）該入力された単語が明確に認識された場合、
（ｃ１）所望の動作を実行し、
（ｃ２）音声認識システムに登録されている対応する単語に対して、該入力された単語で事後学習処理を行い、
（ｃ３）処理を終了する工程と、
（ｄ）前記比較の結果、類似する単語やほんのわずかに異なる単語がいくつか存在する場合、
（ｄ１）入力された単語に類似する単語をシステムのユーザに対し、通知及び再生を行い、
（ｄ２）該入力された単語の再入力をシステムのユーザに対して要求する工程と、
（ｅ）所定の基準に基づいた相関比較によって、前記入力された単語が予め登録されている単語に対して不確実な認識や強い類似性や一致の可能性を示す場合、該システムは光学的または音声的にユーザに通知し、前記入力された単語の再入力を要求し、それにより事後学習処理を行う工程、
（ｆ）（ｂ）に戻り処理を続ける工程、
を含み、
前記事後学習処理は、前記入力された単語と予め登録されている同音語との相関的な比較に基づいて行い、特有の音声パターンをそれぞれ判定し保存する、
ことを特徴とする音声認識システムの認識確率向上方法。
【請求項２】
前記通知及び再生する単語の数は任意に予め設定できることを特徴とする請求項１記載の音声認識システムの認識確率向上方法。
【請求項３】
前記事後学習処理の回数は任意に選択できることを特徴とする請求項１から２のいずれかに記載の音声認識システムの認識確率向上方法。
【誤訳訂正２】
【訂正対象書類名】明細書
【訂正対象項目名】００１７
【訂正方法】変更
【訂正の内容】
【００１７】
一方、入力された名前が明確に認識されず、ステップ６における入力された音声パターンと登録されている音声パターンとの比較の結果、登録されている名前のうち類似のまたは多少異なる数個の名前である可能性が認識された場合、ステップ１０において該システムはユーザに対して通知し、入力された名前に似た名前を再生する。ステップ１１において、先に入力した名前を繰り返すようユーザに要求し、ステップ１２においてユーザは名前の入力を繰り返す。ステップ１３においてカウンタｋに１を加え、ステップ３に戻り、前記処理を繰り返す。
【手続補正書】
【提出日】平成22年6月3日(2010.6.3)
【手続補正１】
【補正対象書類名】特許請求の範囲
【補正対象項目名】全文
【補正方法】変更
【補正の内容】
【特許請求の範囲】
【請求項１】
第２主要面の反対側に第１主要面を有するフィルムと、
前記第１主要面上に間隔を置いて配置される第１及び第２の表示の配列と、
前記第２主要面上のレンズの配列、及び
前記第１及び第２の表示の配列が協同して第１仮想イメージ及び第２仮想イメージを生成し、これらの仮想イメージは異なっており、双方ともフィルム外の平面内にあるように見えるよう構成された、レンズの配列と、を具備するキーパッド。
【請求項２】
第１及び第２側部を有する透明材料の層であって、前記透明材料の層の外部の平面内に仮想イメージを作成するように、前記第１側部は第１ピッチを有する光学要素の配列を含み、前記第２側部は第２ピッチを有する表示の配列を含む、透明材料の層と、
前記透明材料の層に隣接して取付けられた電気スイッチと、を具備するユーザーが作動させるスイッチ。
【請求項３】
第１及び第２側部を有する透明材料の層であって、その透明材料の層の外部平面内に仮想イメージを生成するように、前記第１側部は第１ピッチを有する光学要素の配列を含み、前記第２側部は第２ピッチを有する表示の配列を含む、透明材料の層を提供する工程と、
前記透明材料の層に隣接して取付けられた電気スイッチを提供する工程と、を具備する、ユーザーが作動させるスイッチを製造する方法。
【手続補正２】
【補正対象書類名】明細書
【補正対象項目名】００３５
【補正方法】変更
【補正の内容】
【００３５】
本発明について、それらの様々な実施形態に関連して示し説明してきたが、当業者であれば、形状及び細部における様々な他の変更が、本発明の趣旨及び範囲から逸脱することなく、その分野においてなされ得ることが理解されよう。
以下に、本願発明に関連する発明の実施形態を列挙する。
実施形態１
第２主要面の反対側に第１主要面を有するフィルムと、
前記第１主要面上に間隔を置いて配置される第１及び第２の表示の配列と、
前記第２主要面上のレンズの配列、及び
前記第１及び第２の表示の配列が協同して第１仮想イメージ及び第２仮想イメージを生成し、これらの仮想イメージは異なっており、双方ともフィルム外の平面内にあるように見えるよう構成された、レンズの配列と、を具備するキーパッド。
実施形態２
前記第１の表示の配列付近でユーザーの指の存在を検出するように構成された電気的構成要素を更に具備する、実施形態１に記載のキーパッド。
実施形態３
前記第１の表示の配列付近で、ユーザーの指とフィルムとの間の接触を検出するように構成された電気的構成要素を更に具備する、実施形態１に記載のキーパッド。
実施形態４
前記第１及び第２仮想イメージが同一平面上にある、実施形態１に記載のキーパッド。
実施形態５
前記第１仮想イメージがフィルムより上の平面内にあって、第２仮想イメージがフィルムより下の平面内にある、実施形態１に記載のキーパッド。
実施形態６
前記仮想イメージの少なくとも１つが数字又は文字である、実施形態１に記載のキーパッド。
実施形態７
仮想イメージを照らすように構成された光源を更に具備する、実施形態１に記載のキーパッド。
実施形態８
前記フィルムの第１主要面に隣接して配置される導波管を更に具備し、その導波管は光源から発する光を受光して透過するように構成されている、実施形態７に記載のキーパッド。
実施形態９
前記光源が、光を前記フィルムの周辺域に導くように構成された、実施形態７に記載のキーパッド。
実施形態１０
前記表示が光学グレードの接着剤でコーティングされた、実施形態７に記載のキーパッド。
実施形態１１
前記フィルムの前記第２主要面上に間隔を置いたレンズの複数の配列を含む、実施形態１に記載のキーパッド。
実施形態１２
第１及び第２側部を有する透明材料の層であって、前記透明材料の層の外部の平面内に仮想イメージを作成するように、前記第１側部は第１ピッチを有する光学要素の配列を含み、前記第２側部は第２ピッチを有する表示の配列を含む、透明材料の層と、
前記透明材料の層に隣接して取付けられた電気スイッチと、を具備するユーザーが作動させるスイッチ。
実施形態１３
複数の電気スイッチに対応する複数の異なる表示の配列が協同的にデータ入力キーパッドを提供する、実施形態１２に記載のスイッチ。
実施形態１４
前記光学要素が収束レンズである、実施形態１２に記載のスイッチ。
実施形態１５
前記第１ピッチが約１０ミクロン〜３００ミクロンの間である、実施形態１２に記載のスイッチ。
実施形態１６
前記透明材料の層の端部を照らすために配置される照明光源を更に具備する、実施形態１２に記載のスイッチ。
実施形態１７
前記透明材料の層がその透明材料の層から照明光源の光を導く光抽出機構を有する、実施形態１６に記載のスイッチ。
実施形態１８
前記表示は、前記透明材料の層から照明光源の光を導く光抽出機構を有する、実施形態１７に記載のスイッチ。
実施形態１９
透明材料の層が、ガラス層に付着した少なくとも１つの高分子層を具備する、実施形態１２に記載のスイッチ。
実施形態２０
前記第２側部に隣接してコントラストを強化する層を更に具備し、そのコントラスト強化層は、蒸着、印刷、積層法、エンボス加工、及びコーティングからなる群から選択されたプロセスによって形成される、実施形態１２に記載のスイッチ。
実施形態２１
電気スイッチが抵抗性である、実施形態１２に記載のスイッチ。
実施形態２２
電気スイッチが容量性である、実施形態１２に記載のスイッチ。
実施形態２３
第１及び第２側部を有する透明材料の層であって、その透明材料の層の外部平面内に仮想イメージを生成するように、前記第１側部は第１ピッチを有する光学要素の配列を含み、前記第２側部は第２ピッチを有する表示の配列を含む、透明材料の層を提供する工程と、
前記透明材料の層に隣接して取付けられた電気スイッチを提供する工程と、を具備する、ユーザーが作動させるスイッチを製造する方法。
実施形態２４
前記透明材料の層は、単量体又はオリゴマ前駆体の注型によってポリマーから形成され、前記表示及び光学要素は、注型の間に形成される、実施形態２３に記載の方法。
実施形態２５
前記表示又は光学要素の少なくとも１つがエンボス加工によって形成される、実施形態２３に記載の方法。
実施形態２６
前記表示又は光学要素の少なくとも１つが射出成形によって形成される、実施形態２３に記載の方法。
実施形態２７
前記表示又は光学要素の少なくとも１つが除去プロセスによって形成される、実施形態２３に記載の方法。
実施形態２８
表示が印刷、注型、エッチング、アブレーション及び成形からなる群から選択される方法によって形成される、実施形態２３に記載の方法。
【手続補正書】
【提出日】平成22年4月14日(2010.4.14)
【手続補正１】
【補正対象書類名】特許請求の範囲
【補正対象項目名】全文
【補正方法】変更
【補正の内容】
【特許請求の範囲】
【請求項１】
検索結果の表示を容易にするシステムであって、
少なくとも１つのコンピュータ記憶可読媒体にストアされたコンピュータ実現可能コンポーネントを実行する少なくとも１つのプロセッサと、
ユーザに代わってクエリを受信して実行するサーチエンジンコンポーネントと、
前記クエリの関連コンテキストと前記ユーザに対するデータの関連度に基づいて、前記結果をフィルタリングして整理する分析コンポーネントと、
ウェブサーチエンジンの同じページに、クエリを受信するためのクエリウインドウと、クエリおよびユーザの役割を認識する選択されたタブに一致する１つ又はそれ以上の情報カテゴリを含む関連度ペインと、クエリに一致する選択可能な情報チャネルを表示するチャネルペインとを表示するユーザインタフェースコンポーネントであって、関連度インジケータは、関連度インジケータの相対的な長さに関して、１つ又はそれ以上の情報カテゴリのそれぞれの関連度をグラフィック表示する、ユーザインタフェースコンポーネントと、
ユーザインタフェースコンポーネントは、関連度ペインの関連度インジケータについてのユーザの振る舞いに基づいて同じページにメニューウインドウを表示し、メニューウインドウは、コンセプトおよび関連度インジケータに一致するクエリに関する情報を提供し、コンセプトに関連する追加的なコンセプトを認識し、ユーザにコンセプトおよびクエリに関する追加の情報を要求する、ことを特徴とするシステム。
【請求項２】
前記ユーザインタフェースコンポーネントは、表示された情報、ユーザの状態、ユーザの好み、顕在学習、潜在学習もしくはユーザの意図の内容及び種類に基づいて、表示設定をダイナミックに変更することができることを特徴とする請求項１記載のシステム。
【請求項３】
ユーザの意図、ユーザの状態、ユーザのコンテキスト、ユーザの目標、結果の関連度を判断または推定する人工知能（ＡＩ）コンポーネントをさらに含むことを特徴とする請求項１記載のシステム。
【請求項４】
前記人工知能コンポーネントは、判断もしくは推定をする際に、確率に基づいたあるいは統計に基づいた分析を用いることを特徴とする請求項３記載のシステム。
【請求項５】
コンテンツ関連情報を表示するために複数の情報ペインを有するユーザインタフェースを含むことを特徴とする請求項１記載のシステム。
【請求項６】
前記広告ペインは、検索結果及びユーザプロフィール情報に基づいて、狙った広告を表示することを特徴とする請求項５に記載のシステム。
【請求項７】
情報の前記カテゴリは、学習方法、ダイナミック学習方法、アルゴリズム及び推定方法の少なくとも１つにより自動的に決められることを特徴とする請求項１記載のシステム。
【請求項８】
前記サーチエンジンコンポーネントは、トピック関連情報の所定ドメインを検索するように設定されたトピック特化サーチエンジンを使用することを特徴とする請求項１記載のシステム。
【請求項９】
ユーザインタフェースコンポーネントは、情報および検索結果に関連するトピックスのリサーチを実行することに関連するツールを表示するサーチタブをさらに表示することを特徴とする請求項１に記載のシステム。
【請求項１０】
前記ユーザインタフェースコンポーネントは、１つを選択するか、以前の検索結果に関連するタブ又はコンセプトを選択することによって、サーチクエリおよび結果を磨くことをさらに提供するメニューをさらに表示することを特徴とする請求項９に記載のシステム。
【請求項１１】
検索結果の表示を容易にする方法であって、
コンピュータ可読記録媒体に記録されているコンピュータ読み取り可能命令を実行して下記の処理を実行するプロセッサを採用するステップと、
ウェブサーチエンジンの同じページに、クエリを受信するためのクエリウインドウと、クエリおよびユーザの役割を認識する選択されたタブに一致する１つ又はそれ以上の情報カテゴリを含む関連度ペインと、クエリに一致する選択可能な情報チャネルを表示するチャネルペインとを表示するステップであって、関連度インジケータは、関連度インジケータの相対的な長さに関して、１つ又はそれ以上の情報カテゴリのそれぞれの関連度をグラフィック表示する、表示するステップと、
ユーザから医療／健康情報に関連するサーチクエリを受信するステップと、
ユーザの役割を認識するタブの選択を受信するステップと、
サーチクエリを実行するステップと、
サーチクエリの結果を分析するステップと、
ユーザに対する関連度とユーザの役割を認識するタブの選択とに基づいて、前記検索クエリ実行結果を選択的にフィルタリングして整理して表示するステップと、
関連度ペインにおける関連度インジケータに対するユーザインタラクションに基づいて、同じページにメニューウインドウを表示するステップであって、該メニューウインドウは、関連度インジケータに一致するコンセプトおよびクエリに関する情報を提供し、前記コンセプトおよび前記クエリに関連する追加のコンセプトを認識し、ユーザが前記コンセプトおよび前記クエリに関する追加の情報を要求することを可能にする、表示するステップとを含むことを特徴とする方法。
【請求項１２】
請求項１１の各ステップを実行するためのコンピュータ実行可能命令を実現するコンピュータ可読記録媒体。
【請求項１３】
前記クエリおよび選択された役割認識に基づいて、ウェブサーチエンジンの同じページに広告を表示するステップをさらに含むことを特徴とする請求項１１に記載の方法。
【請求項１４】
検索結果の表示を容易にするシステムであって、
少なくとも１つのコンピュータ記憶可読媒体にストアされたコンピュータ実現可能コンポーネントを実行する少なくとも１つのプロセッサと、
ユーザから医療／健康情報に関連するサーチクエリを受信する手段と、
サーチクエリを実行する手段と、
予め決められたユーザの役割に一致する選択された識別子に少なくとも部分的に基づいて、サーチクエリ結果を分析する手段と、
ユーザに対する関連度に基づいて、前記検索クエリ実行結果を選択的にフィルタリングして整理して表示する手段と、
ウェブサーチエンジンの同じページに、クエリを受信するためのクエリウインドウと、クエリおよびユーザの役割を認識する選択されたタブに一致する１つ又はそれ以上の情報カテゴリを含む関連度ペインと、クエリに一致する選択可能な情報チャネルを表示するチャネルペインとを表示する手段であって、関連度インジケータは、関連度インジケータの相対的な長さに関して、１つ又はそれ以上の情報カテゴリのそれぞれの関連度をグラフィック表示する、表示する手段と、
前記表示する手段は、関連度ペインの関連度インジケータについてのユーザの振る舞いに基づいて同じページにメニューウインドウを表示し、メニューウインドウは、コンセプトおよび関連度インジケータに一致するクエリに関する情報を提供し、コンセプトに関連する追加的なコンセプトを認識し、ユーザにコンセプトおよびクエリに関する追加の情報を要求する、ことを特徴とするシステム。
【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
複数の記録層を持つ記録媒体を管理する方法であって、
前記記録媒体の第１の記録層の第１の領域上で欠陥を検出するステップと、
前記第１の領域の第１の欠陥管理情報を前記記録媒体の管理領域に記録するステップと、
前記記録媒体の第２の記録層の第２の領域の第２の欠陥管理情報を前記管理領域に記録するステップであって、該第２の領域は、前記第１の領域の物理的に垂直方向の上または下に位置する、ステップと
を含むことを特徴とする方法。
【請求項２】
前記第２の欠陥管理情報が、前記第１の記録層よりも上に位置する全ての第２の領域の情報を含むことを特徴とする請求項１に記載の方法。
【請求項３】
前記第２の欠陥管理情報が、前記第１の記録層よりも下に位置する全ての第２の領域の情報を含むことを特徴とする請求項１に記載の方法。
【請求項４】
前記第１の欠陥管理情報が、ＲＡＤ領域またはＮＲＤ領域のいずれかについての情報であることを特徴とする請求項１に記載の方法。
【請求項５】
前記第２の欠陥管理情報が、ＰＢＡの情報であることを特徴とする請求項１に記載の方法。
【請求項６】
前記第１の欠陥管理情報と前記第２の欠陥管理情報が、前記管理領域の欠陥リストに記録されることを特徴とする請求項１に記載の方法。
【請求項７】
前記第１の欠陥管理情報が、前記第１の領域の最初の物理的セクターナンバー（ＰＳＮ）を含み、前記第２の欠陥管理情報が、前記第２の領域の最初の物理的セクターナンバー（ＰＳＮ）を含むことを特徴とする請求項１に記載の方法。
【請求項８】
複数の記録層を含む記録媒体を管理する装置であって、
前記記録媒体にデータを記録し、および該記録媒体からデータを再生するように構成されたピックアップと、
前記記録媒体の第１の記録層の第１の領域上で欠陥を検出し、前記ピックアップを制御して前記第１の領域の第１の欠陥管理情報を前記記録媒体の管理領域に記録し、前記ピックアップを制御して第２の記録層の第２の領域の第２の欠陥管理情報を前記管理領域に記録するコントローラであって、該第２の領域は、前記第１の領域の物理的に垂直方向の上または下に位置する、コントローラと
を含むことを特徴とする装置。
【請求項９】
前記第１の欠陥管理情報が、ＲＡＤ領域またはＮＲＤ領域のいずれかについての情報であり、前記第２の欠陥管理情報が、ＰＢＡについての情報であることを特徴とする請求項８に記載の装置。
【請求項１０】
複数の記録層を含む記録媒体であって、
前記記録媒体は、
前記記録媒体の第１の記録層の、欠陥を有する第１の領域についての第１の欠陥管理情報を含む管理領域を含み、
前記管理領域は、第２の記録層の第２の領域についての第２の欠陥管理情報を含み、該第２の領域は、前記第１の領域の物理的に垂直方向の上または下に位置する、ことを特徴とする記録媒体。
【請求項１１】
前記第１の欠陥管理情報が、ＲＡＤ領域またはＮＲＤ領域のいずれかについての情報であり、前記第２の欠陥管理情報が、ＰＢＡについての情報であることを特徴とする請求項１０に記載の記録媒体。
【請求項１２】
前記第１の欠陥管理情報は、欠陥を含む前記第１の領域の位置を示す第１の位置情報と、前記第１の領域を代替する代替領域の位置を示す第２の位置情報と、代替領域が前記第１の領域に割り当てられているか否かを示す第１の状態情報と、データが前記第１の領域の代わりに前記代替領域に記録されているか否かを示す第２の状態情報と、を含むことを特徴とする請求項１０に記載の記録媒体。
【請求項１３】
前記管理領域は、前記第１の領域が欠陥を含む場合に前記第２の記録層の第２の領域の欠陥にかかわらず、前記第２の領域についての第２の欠陥管理情報を含むことを特徴とする請求項１０に記載の記録媒体。
【請求項１４】
複数の記録層を有する記録媒体にデータを記録し、および該記録媒体からデータを再生する方法であって、
前記記録媒体の管理領域から第１および第２の欠陥管理情報を読み出すステップであって、該第１の欠陥管理情報は、第１の記録層内の欠陥領域を示し、該第２の欠陥管理情報は、該第１の記録層内の該欠陥領域の物理的に垂直方向の上または下に位置する第２の記録層内の領域の位置を示す、ステップと、
前記第１および第２の欠陥管理情報の少なくとも一つに基づいて前記記録媒体にデータを記録し、および該記録媒体からデータを再生するステップと
を含むことを特徴とする方法。
【請求項１５】
前記データは、前記第１の欠陥管理情報に基づいて前記第１の記録層内の欠陥領域を代替するための代替領域に記録され、および代替領域から再生されることを特徴とする請求項１４に記載の方法。
【請求項１６】
前記第１の欠陥管理情報は、前記欠陥領域の位置を示す第１の位置情報と、前記代替領域の位置を示す第２の位置情報と、前記代替領域が前記欠陥領域に割り当てられているか否かを示す第１の状態情報と、前記データが前記欠陥領域の代わりに前記代替領域に記録されているか否かを示す第２の状態情報と、を含むことを特徴とする請求項１５に記載の方法。
【請求項１７】
前記管理領域は、前記第１の記録層が前記欠陥領域を含む場合に前記第２の記録層が欠陥を含むか否かにかかわらず、前記第２の記録層についての第２の欠陥管理情報を含むことを特徴とする請求項１４に記載の方法。
【請求項１８】
複数の記録層を有する記録媒体にデータを記録し、および該記録媒体からデータを再生する装置であって、
前記記録媒体にデータを記録し、および該記録媒体からデータを再生するように構成されたピックアップと、
前記ピックアップを制御して前記記録媒体の管理領域から第１および第２の欠陥管理情報を読み出すように構成されたコントローラであって、該第１の欠陥管理情報は、第１の記録層内の欠陥領域を示し、該第２の欠陥管理情報は、該第１の記録層内の該欠陥領域の物理的に垂直方向の上または下に位置する第２の記録層内の領域の位置を示す、コントローラと、
前記ピックアップを制御して前記第１および第２の欠陥管理情報の少なくとも一つに基づいて前記記録媒体にデータを記録し、および該記録媒体からデータを再生するように構成された前記コントローラと
を備えたことを特徴とする装置。
【請求項１９】
前記コントローラは、前記ピックアップを制御して前記第１の欠陥管理情報に基づいて前記第１の記録層内の欠陥領域を代替する代替領域にデータを記録し、および該代替領域からデータを再生するように構成されていることを特徴とする請求項１８に記載の装置。
【請求項２０】
前記第１の欠陥管理情報は、前記欠陥領域の位置を示す第１の位置情報と、前記代替領域の位置を示す第２の位置情報と、該代替領域が該欠陥領域に割り当てられているか否かを示す第１の状態情報と、前記データが該欠陥領域の代わりに該代替領域に記録されているか否かを示す第２の状態情報と、を含むことを特徴とする請求項１９に記載の装置。
【請求項２１】
前記管理領域は、前記第１の記録層が前記欠陥領域を含む場合に前記第２の記録層が欠陥を含むか否かにかかわらず、前記第２の記録層についての第２の欠陥管理情報を含むことを特徴とする請求項１８に記載の装置。